(57)【特許請求の範囲】
【請求項１】
カートリッジケース（２）の一側面（５）の一部に録音可否検出用の誤消去防止片（６）を外部操作で摺動可能に備えたミニディスク（１）が、出し入れ可能に収納される収納箱において、
箱本体（１０）がミニディスク（１）の出し入れ口（１１）を有するブックケース形状に形成されており、
箱本体（１０）の出し入れ口（１１）の開口上下縁（１１ａ・１１ｂ）に、それぞれミニディスク（１）の厚みよりも僅かに大きい切欠幅（ｅ）をもつ上下の切欠部（１４・１５）を上下対向状に設けてあり、
前記誤消去防止片（６）を摺動操作可能にする操作突起（１３）が、一方の切欠部（１４又は１５）の内奥壁（１４ａ又は１５ａ）に該切欠部（１４又は１５）より外方へ突出することのないように設けられていることを特徴とするミニディスク用の収納箱。  
【発明の詳細な説明】
【０００１】
【発明の属する技術分野】
本発明は、光磁気ディスク等のミニディスクを収納保管するための収納箱に関する。
【０００２】
【従来の技術】
ミニディスクにおいても、８mmカセットやＤＡＴカセット等のテープカセットと同様に、録音の可否を検出するための誤消去防止片がカートリッジケースの外表面一部に外部操作で摺動可能に備えられている。
【０００３】
【発明が解決しようとする課題】
しかるに、ミニディスクは直径６４mmのディスクを内蔵し、これ全体が小型化、薄形化されていることから、上記誤消去防止片これ自体もサイズに制約がある。例えば、図１にミニサイズの光磁気ディスクを示すように、カートリッジケース２の一側面５に凹部７を設け、この凹部７内に誤消去防止片６を摺動自在に備えている。その誤消去防止片６の寸法は幅サイズｗが３mm程度で非常に小さく、しかも誤消去防止片６に備えたノブ６ｂはカートリッジケース２の一側面５の外表面より飛び出ないように内側に入り込んでいるため、非常に操作し辛い。
【０００４】
通常、この誤消去防止片６は指先で操作する。しかし、誤消去防止片６への指先の掛かりが悪いため、誤消去防止片６のノブ６ｂと凹部７の内壁との狭い隙間に爪を差し入れて摺動させることになるが、このとき爪の割れやめくれ等の問題が発生するおそれがある。
かかる操作上の問題を避けるために、先の細いボールペンやシャープペンを補助具として使用することがあるが、これでは誤消去防止片６の操作の都度そのような補助具を探すなどの手間がかかるという不利不便がある。
【０００５】
本発明の目的は、ミニディスクは不使用時に収納箱に収納保管されることに着目してその収納箱を誤消去防止片操作用の治具として利用できるようにし、以て誤消去防止片の操作性の向上を図る点にある。
【０００６】
【課題を解決するための手段】
本発明の請求項１に係る発明は、録音可否検出用の誤消去防止片６を外部操作で摺動可能に備えたミニディスク１が出し入れ可能に収納される収納箱において、箱本体１０に、前記誤消去防止片６を摺動操作可能にする操作突起１３が設けられていることを特徴とする。
【０００７】
本発明の請求項２に係る発明は、カートリッジケース２の一側面５の一部に録音可否検出用の誤消去防止片６を外部操作で摺動可能に備えたミニディスク１が、出し入れ可能に収納される収納箱において、箱本体１０がミニディスク１の出し入れ口１１を有するブックケース形状に形成される。そして箱本体１０の出し入れ口１１の開口上下縁１１ａ・１１ｂに、それぞれミニディスク１の厚みよりも僅かに大きい切欠幅ｅをもつ上下の切欠部１４・１５を上下対向状に設ける。前記誤消去防止片６を摺動操作可能にする操作突起１３が一方の切欠部１４（又は１５）の内奥壁１４ａ（又は１５ａ）に該切欠部１４（又は１５）より外方へ突出することのないように設けられていることを特徴とする。
【０００８】
【作用】
請求項１に係る発明によれば、箱本体１０を手に持って操作突起１３の先端で、ミニディスク１の小さい誤消去防止片６も簡易かつ確実に摺動操作することができる。
【０００９】
請求項２に記載の発明のように操作突起１３が切欠部１４から外方へ突出することのないように納められていると、箱本体１０からミニディスク１を出し入れするときなどに操作突起１３で手を怪我するようなことがなくて安全である。また不使用時に操作突起１３が他物と触れるのを避けることができて操作突起１３の破損を防止できる。さらに従来通りミニディスク１を箱本体１０に収納したうえで樹脂フィルムを用いてシュリンク包装などによる梱包をするときもこの梱包が容易に行え、また操作突起１３を破損させることもない。
【００１０】
操作突起１３で誤消去防止片６を操作するとき、ミニディスク１の厚みよりも僅かに大きい切欠幅ｅをもつ上下の切欠部１４・１５を、カートリッジケース２の誤消去防止片６まわりの上下壁面に沿わせて真っ直ぐにスライドさせることができるため、誤消去防止片６をより操作し易くなる。
【００１１】
【発明の実施の形態】
（第１実施例）
本発明の第１実施例を図１ないし図４に基づき説明する。図１は前述のように直径６４mmの光磁気ディスクを内蔵したミニディスクを示しており、ミニディスク１はカートリッジケース２の左右の一側面３にシャッター４を備え、後ろ側の一側面５の左右方向一端寄りに、録音可否検出用の誤消去防止片６を左右方向に摺動自在に備える凹部７を設けている。図２に示すように、カートリッジケース２の凹部７内に備える誤消去防止片６は、幅サイズｗが３mm程度の検出面壁６ａとこの検出面壁６ａの一端の外面側に上下方向にわたって突設した断面半円形のノブ６ｂとを有し、そのノブ６ｂがカートリッジケース２の一側面５の外表面より飛び出ないよう内側に入り込む状態に納められている。因に、ノブ６ｂの検出面壁６ａの外面からの突出高さは0.９mm程度である。
【００１２】
上記ミニディスク１を出し入れ可能に収納する収納箱は、図３に示すように、箱本体１０を一側面に出し入れ口１１を有するブックケース形状にプラスチック成形してなり、出し入れ口１１の開口上下縁１１ａ・１１ｂの左右方向中央部には、ミニディスク１が収納されるとその一部が露出するようにつまみ出し用の切欠部１２・１２を形成して、ミニディスク１の出し入れを容易にしている。
【００１３】
箱本体１０の開口上縁１１ａまたは開口下縁１１ｂの左右方向一端寄りに、前記誤消去防止片６を摺動操作可能にする小さい操作突起１３を設ける。この操作突起１３の寸法はカートリッジケース２と誤消去防止片６の寸法位置関係より設定するが、例えば、誤消去防止片６の幅３mmに対して操作突起１３の幅ａを2.５mm〜2.８mmと設定する。この場合操作突起１３の幅ａが前記寸法よりも狭いと操作突起１３これ自体の強度が落ちてしまうため望ましくない。
【００１４】
また、操作突起１３の開口上縁１１ａまたは開口下縁１１ｂからの突出量ｂは、カートリッジケース２の一側面５の外表面と誤消去防止片６の検出面壁６ａとの段差寸法ｄ（図２参照）より大きく設定することが、誤消去防止片６を安定確実に摺動させるうえで好ましい。例えば、段差寸法ｄが1.２mmである場合、操作突起１３の突出量ｂは1.５mm程度とする。さらに、安全上の配慮から操作突起１３の先端１３ａの角部は小さなアール形状とすることが好ましい。また操作突起１３は先端１３ａに至るに従い漸次薄肉とするくさび状に形成すると、先端１３ａが誤消去防止片６のノブ６ｂとこれに隣接する凹部７の内壁との隙間に、更に差し込み易くなる。
【００１５】
このように収納箱に付けた操作突起１３を用いてミニディスク１の誤消去防止片６を摺動操作するには、図４に示すように、箱本体１０を手に持ってその出し入れ口１１をミニディスク１の一側面５にその左右長手方向と直交するよう向き合わせ、操作突起１３の先端１３ａを誤消去防止片６のノブ６ｂとこれに隣接する凹部７の内壁との隙間に差し込んで左右一方向に摺動させる。これにより、小さい誤消去防止片６も簡単かつ確実に摺動操作することができる。
【００１７】
（第２実施例）
図５ないし図７は本発明の第２実施例を示す。この実施例では、収納箱の箱本体１０の出し入れ口１１の開口上下縁１１ａ・１１ｂの左右方向一端寄りに、上下の切欠部１４・１５とを上下対向状に設け、その上側の切欠部１４の内奥壁１４ａに操作突起１３を該切欠部１４より外方へ突出することのないように一体に突設してある。上下の切欠部１４・１５のそれぞれ切欠幅ｅは、ミニディスク１の厚みよりも僅かに大きい寸法に設定する。例えば、ミニディスク１の厚みが５mmである場合、切欠幅ｅを5.５mm程度とする。操作突起１３の幅ａおよび内奥壁１４ａからの突出量ｂ、操作突起１３の先端１３ａの形状などについては第１実施例の場合と同様である。上側の切欠部１４の切欠幅ｅよりも操作突起１３の幅ａを小さくすることにより、切欠部１４内において操作突起１３の幅ａ方向両側に、ミニディスク１の凹部７の開口上下壁部の各壁厚よりも僅かに大きい隙間１４１・１４１が形成される。もちろん、操作突起１３は上側の切欠部１４に代えて、下側の切欠部１５の内奥壁１５ａに設けることもできる。
【００１８】
このように構成した収納箱の操作突起１３を用いてミニディスク１の誤消去防止片６を摺動操作するには、図６および図７に示すように、箱本体１０を手に持ってその出し入れ口１１をミニディスク１の一側面５にその左右長手方向と直交するよう向き合わせる。かくして切欠部１４内の操作突起１３の両側に形成される隙間１４１・１４１を凹部７の開口上下壁部に差し込み、操作突起１３の先端１３ａを誤消去防止片６のノブ６ｂとこれに隣接する凹部７の内壁との隙間に差し込むとともに、上下の切欠部１４・１５をカートリッジケース２の一側面５およびこの上下面に沿わせて左右一方向に摺動させる。すると、箱本体１０は上下の切欠部１４・１５をカートリッジケース２の一側面５に沿わせて左右方向に真っ直ぐに安定よくスライドさせることができるため、誤消去防止片６をより確実に操作することができる。
【００１９】
操作突起１３を切欠部１４または１５内に納めておくと、商品梱包に際し収納箱の箱本体１０にミニディスク１を入れて樹脂フィルムでシュリンク包装するときに樹脂フィルムを破ったり、操作突起１３を破損するなどのおそれが無くて梱包性に優れる。また箱本体１０からミニディスク１を出し入れするときなどに操作突起１３で手を怪我するようなこともなくて安全であり、また不使用時に操作突起１３が他物と触れるのを避けることができて操作突起１３の破損や他物への傷付きを防止できる。
【００２０】
【発明の効果】
本発明によれば、箱本体１０に設けた操作突起１３を使用することで、ミニディスク１の小さい誤消去防止片６も簡単かつ確実に摺動操作することができて操作性に優れる。
【００２１】
本発明によれば、誤消去防止片６の操作性を向上できること以外に、不使用時や梱包時に操作突起１３が破損したり、他物に傷を付けたりするのを防止でき、また梱包性にも優れるという利点がある。
【図面の簡単な説明】
【図１】対象のミニディスクの斜視図である。
【図２】図１に示すミニディスクの誤消去防止片周辺部を拡大して示す斜視図である。
【図３】第１実施例の収納箱の斜視図である。
【図４】図３に示す収納箱を用いてミニディスクの誤消去防止片を操作する様子を示す斜視図である。
【図５】第２実施例の収納箱の要部を示す斜視図である。
【図６】図５に示す収納箱を用いてミニディスクの誤消去防止片を操作する様子を示す斜視図である。
【図７】図５に示す収納箱の切欠部をミニディスクの誤消去防止片を有する側面部に嵌合させた状態を示す側面図である。
【符号の説明】
１  ミニディスク
２  カートリッジケース
６  誤消去防止片
１０  箱本体
１１  出し入れ口
１１ａ  開口上縁
１１ｂ  開口下縁
１３  操作突起
１４  上側の切欠部
１５  下側の切欠部
【図１】
0003755781.tif 000002
【図２】
0003755781.tif 000003
【図３】
0003755781.tif 000004
【図４】
0003755781.tif 000005
【図５】
0003755781.tif 000006
【図６】
0003755781.tif 000007
【図７】
0003755781.tif 000008